(57)【要約】【課題】量子点層及びバンドパスフィルタを含んで色再現性が向上された発光ダイオードパッケージ及びこの発光ダイオードパッケージを有する表示装置を提供する。【解決手段】第１光と第２光を各々発生させる第１、第２発光ダイオードパッケージを含むバックライトユニットと、第１、第２光を受光し画像を表示する表示パネルとを有し、第１発光ダイオードパッケージは第１発光ダイオードと複数の量子点を含み第１発光ダイオードの上に配置される第１量子点層と第１量子点層の上に配置される第１バンドパスフィルタとこれらを収容する第１ハウジングとを含み、第２発光ダイオードパッケージは第２発光ダイオードと複数の量子点を含み第２発光ダイオードの上に配置される第２量子点層と第２量子点層の上に配置される第２バンドパスフィルタとこれらを収容する第２ハウジングとを含む。【選択図】      図３
2012215827.tif 000002
【特許請求の範囲】
【請求項１】
第１光を発生させる第１発光ダイオードパッケージと前記第１光と異なる第２光を発生させる第２発光ダイオードパッケージとを含むバックライトユニットと、
前記第１光及び前記第２光を受光して画像を表示する表示パネルとを有し、
前記第１発光ダイオードパッケージは、第１発光ダイオードと、
複数の量子点を含み、前記第１発光ダイオードの上に配置される第１量子点層と、
前記第１量子点層の上に配置される第１バンドパスフィルタと、
前記第１発光ダイオード、前記第１量子点層、及び前記第１バンドパスフィルタを収容する第１ハウジングとを含み、
前記第２発光ダイオードパッケージは、第２発光ダイオードと、
複数の量子点を含み、前記第２発光ダイオードの上に配置される第２量子点層と、
前記第２量子点層の上に配置される第２バンドパスフィルタと、
前記第２発光ダイオード、前記第２量子点層、及び前記第２バンドパスフィルタを収容する第２ハウジングとを含むことを特徴とする表示装置。
【請求項２】
前記第１量子点層は、空気層を介して前記第１発光ダイオードと対向して配置され、前記第１量子点層は前記第１バンドパスフィルタと接触し、
前記第２量子点層は、空気層を介して前記第２発光ダイオードと対向して配置され、前記第２量子点層は前記第２バンドパスフィルタと接触することを特徴とする請求項１に記載の表示装置。
【請求項３】
前記第１発光ダイオードは第１青色光を発生させ、前記第１量子点層は前記第１青色光の一部を吸収して第１緑色光及び第１赤色光を発生させ、前記第１バンドパスフィルタは前記第１青色光に対応する第１青色パスバンドと、前記第１緑色光に対応する第１緑色パスバンドと、前記第１赤色光に対応する第１赤色パスバンドとを含み、
前記第２発光ダイオードは第２青色光を発生させ、前記第２量子点層は前記第２青色光の一部を吸収して第２緑色光及び第２赤色光を発生させ、前記第２バンドパスフィルタは前記第２青色光に対応する第２青色パスバンドと、前記第２緑色光に対応する第２緑色パスバンドと、前記第２赤色光に対応する第２赤色パスバンドとを含むことを特徴とする請求項１に記載の表示装置。
【請求項４】
前記第１青色光及び第２青色光は、４２５ｎｍ〜４７５ｎｍ範囲内の波長を有し、
前記第１緑色光及び第２緑色光は、５００ｎｍ〜５５０ｎｍ範囲内の波長を有し、
前記第１赤色光及び第２赤色光は、６００ｎｍ〜６５０ｎｍ範囲内の波長を有することを特徴とする請求項３に記載の表示装置。
【請求項５】
前記第１青色パスバンド及び第２青色パスバンドは、４００ｎｍ〜５００ｎｍ範囲内にあり、
前記第１緑色パスバンド及び第２緑色パスバンドは、５００ｎｍ〜５８０ｎｍ範囲内にあり、
前記第１赤色パスバンド及び第２赤色パスバンドは、５８０ｎｍ〜７００ｎｍ範囲内にあることを特徴とする請求項３に記載の表示装置。
【請求項６】
前記バックライトユニットは、前記第１光と前記第２光を交互に出射し、前記表示パネルは前記第１光及び前記第２光を受光して立体画像を表示することを特徴とする請求項３に記載の表示装置。
【請求項７】
第１光を発生させる発光ダイオードと、
前記発光ダイオードの上に配置され、前記第１光の一部を吸収して前記第１光と異なる波長を有する第２光を発生させる複数の量子点を含む量子点層と、
前記量子点層上に配置され、前記第１光に対応する第１パスバンドと、前記第２光に対応する第２パスバンドとを含むバンドパスフィルタと、
前記発光ダイオードを収容し、前記量子点層及び前記バンドパスフィルタを支持するハウジングとを有することを特徴とする発光ダイオードパッケージ。
【請求項８】
前記量子点層は、空気層を介して前記発光ダイオードと対向して配置され、前記バンドパスフィルタと接触することを特徴とする請求項７に記載の発光ダイオードパッケージ。
【請求項９】
前記量子点層は、前記発光ダイオードと前記バンドパスフィルタとに接触することを特徴とする請求項７に記載の発光ダイオードパッケージ。
【請求項１０】
前記第１光は青色光であり、前記第２光は緑色光と赤色光とを含み、前記量子点は、前記青色光を吸収して前記緑色光を発生させる第１量子点と、前記青色光を吸収して前記赤色光を発生させる第２量子点とを含むことを特徴とする請求項９に記載の発光ダイオードパッケージ。
【発明の詳細な説明】
【技術分野】
【０００１】
本発明は発光ダイオードパッケージ及びそれを有する表示装置に関し、より詳細には量子点層及びバンドパスフィルタを含んで色再現性が向上された発光ダイオードパッケージ及びそれを有する表示装置に関する。
【背景技術】
【０００２】
一般的に、発光ダイオードパッケージは３原色、即ち、赤色、緑色、青色の中で１つの色を発生させる発光ダイオードを使用する。発光ダイオード（ｌｉｇｈｔ  ｅｍｉｔｔｉｎｇ  ｄｉｏｄｅ：ＬＥＤ）はＰ形半導体とＮ形半導体とをＰＮ接合して作られた素子に、ＰＮ接合の付近で電子と正孔とが結合するとき、バンドギャップ（ｂａｎｄ  ｇａｐ）に相当するエネルギーを光で放出する。
【０００３】
発光ダイオードパッケージは、発光ダイオードから放出される光の一部を吸収して励起する蛍光体を使用して異なる色の光を発生させ、これによって、白色光を具現する。
例えば、青色光を放出する発光ダイオードの場合には、青色光の一部を赤色蛍光体と緑色蛍光体とに励起させて白色光を得られる。
【０００４】
しかしながら、立体画像表示装置が必要とする互に波長が異なる左眼用光と右眼用光とを得るために緑色及び赤色蛍光体、及び青色発光ダイオードを有する発光ダイオードパッケージが使用されたが、発光ダイオードパッケージで発生した半値全幅（ｆｕｌｌ  ｗｉｄｔｈ  ａｔ  ｈａｌｆ  ｍａｘｉｍｕｍ；ＦＷＨＭ）が広い光を左眼用光と右眼用光とにフィルターリングして使用する場合、左眼画像と右眼画像との色再現範囲の差異及び輝度の差異が大きく発生するという問題がある。
【先行技術文献】
【特許文献】
【０００５】
【特許文献１】韓国特許出願公開第１０−２００９−００９３２０２号明細書
【発明の概要】
【発明が解決しようとする課題】
【０００６】
そこで、本発明は上記従来の表示装置における問題点に鑑みてなされたものであって、本発明の目的は、量子点層及びバンドパスフィルタを含んで色再現性が向上された発光ダイオードパッケージ及びこの発光ダイオードパッケージを有する表示装置を提供することにある。
【課題を解決するための手段】
【０００７】
上記目的を達成するためになされた本発明による表示装置は、第１光を発生させる第１発光ダイオードパッケージと前記第１光と異なる第２光を発生させる第２発光ダイオードパッケージとを含むバックライトユニットと、前記第１光及び前記第２光を受光して画像を表示する表示パネルとを有し、前記第１発光ダイオードパッケージは、第１発光ダイオードと、複数の量子点を含み、前記第１発光ダイオードの上に配置される第１量子点層と、前記第１量子点層の上に配置される第１バンドパスフィルタと、前記第１発光ダイオード、前記第１量子点層、及び前記第１バンドパスフィルタを収容する第１ハウジングとを含み、前記第２発光ダイオードパッケージは、第２発光ダイオードと、複数の量子点を含み、前記第２発光ダイオードの上に配置される第２量子点層と、前記第２量子点層の上に配置される第２バンドパスフィルタと、前記第２発光ダイオード、前記第２量子点層、及び前記第２バンドパスフィルタを収容する第２ハウジングとを含むことを特徴とする。
【０００８】
前記第１量子点層は、空気層を介して前記第１発光ダイオードと対向して配置され、前記第１量子点層は前記第１バンドパスフィルタと接触し、前記第２量子点層は、空気層を介して前記第２発光ダイオードと対向して配置され、前記第２量子点層は前記第２バンドパスフィルタと接触することが好ましい。
前記第１発光ダイオードは第１青色光を発生させ、前記第１量子点層は前記第１青色光の一部を吸収して第１緑色光及び第１赤色光を発生させ、前記第１バンドパスフィルタは前記第１青色光に対応する第１青色パスバンドと、前記第１緑色光に対応する第１緑色パスバンドと、前記第１赤色光に対応する第１赤色パスバンドとを含み、前記第２発光ダイオードは第２青色光を発生させ、前記第２量子点層は前記第２青色光の一部を吸収して第２緑色光及び第２赤色光を発生させ、前記第２バンドパスフィルタは前記第２青色光に対応する第２青色パスバンドと、前記第２緑色光に対応する第２緑色パスバンドと、前記第２赤色光に対応する第２赤色パスバンドとを含むことが好ましい。
前記第１青色光及び第２青色光は、４２５ｎｍ〜４７５ｎｍ範囲内の波長を有し、前記第１緑色光及び第２緑色光は、５００ｎｍ〜５５０ｎｍ範囲内の波長を有し、前記第１赤色光及び第２赤色光は、６００ｎｍ〜６５０ｎｍ範囲内の波長を有することが好ましい。
前記第１青色パスバンド及び第２青色パスバンドは、４００ｎｍ〜５００ｎｍ範囲内にあり、前記第１緑色パスバンド及び第２緑色パスバンドは、５００ｎｍ〜５８０ｎｍ範囲内にあり、前記第１赤色パスバンド及び第２赤色パスバンドは、５８０ｎｍ〜７００ｎｍ範囲内にあることが好ましい。
前記バックライトユニットは、前記第１光と前記第２光を交互に出射し、前記表示パネルは前記第１光及び前記第２光を受光して立体画像を表示することが好ましい。
【０００９】
上記目的を達成するためになされた本発明による発光ダイオードパッケージは、第１光を発生させる発光ダイオードと、前記発光ダイオードの上に配置され、前記第１光の一部を吸収して前記第１光と異なる波長を有する第２光を発生させる複数の量子点を含む量子点層と、前記量子点層上に配置され、前記第１光に対応する第１パスバンドと、前記第２光に対応する第２パスバンドとを含むバンドパスフィルタと、前記発光ダイオードを収容し、前記量子点層及び前記バンドパスフィルタを支持するハウジングとを有することを特徴とする。
【００１０】
前記量子点層は、空気層を介して前記発光ダイオードと対向して配置され、前記バンドパスフィルタと接触することが好ましい。
前記量子点層は、前記発光ダイオードと前記バンドパスフィルタとに接触することが好ましい。
前記第１光は青色光であり、前記第２光は緑色光と赤色光とを含み、前記量子点は、前記青色光を吸収して前記緑色光を発生させる第１量子点と、前記青色光を吸収して前記赤色光を発生させる第２量子点とを含むことが好ましい。
【発明の効果】
【００１１】
本発明に係る発光ダイオードパッケージ及びそれを有する表示装置によれば、青色光を発生させる発光ダイオード、青色光を受信して緑色光及び赤色光を発生させ得る量子点層、及び青色光、緑色光、赤色光を透過させ、青色光、緑色光、赤色光以外の光を吸収又は反射させるバンドパスフィルタを使用して、色再現性が高い発光ダイオードパッケージを提供できるという効果がある。
また、発光ダイオードパッケージを利用して立体画像を表示する場合、左眼画像と右眼画像との色再現範囲の差異及び輝度の差異を減少させ得るという効果がある。
【図面の簡単な説明】
【００１２】
【図１】本発明の一実施形態による表示装置の分解斜視図である。
【図２】図１の第１光源部の拡大斜視図である。
【図３】図２の第１発光ダイオードパッケージの一実施形態による断面図である。
【図４】図３のＡ１領域を拡大した図である。
【図５】図３の量子点層で出射された光の分光分布グラフである。
【図６】図３の第１バンドパスフィルタの分光分布グラフである。
【図７】図２の第２発光ダイオードパッケージの一実施形態による断面図である。
【図８】図７のＡ２領域を拡大した図である。
【図９】図７の量子点層で出射された光の分光分布グラフである。
【図１０】図７のバンドパスフィルタの分光分布グラフである。
【図１１】表１の第１及び第２発光ダイオードパッケージの色再現範囲を示すグラフである。
【図１２】図２の第１発光ダイオードパッケージの他の実施形態による断面図である。
【図１３】図２の第２発光ダイオードパッケージの他の実施形態による断面図である。
【図１４】図１のバックライトユニットの他の実施形態による拡大斜視図である。
【図１５】図３及び図７の第１及び第２量子点層を形成する方法を説明するためのフローチャートである。
【発明を実施するための形態】
【００１３】
次に、本発明に係る光ダイオードパッケージ及びそれを有する表示装置を実施するための形態の具体例を図面を参照しながら説明する。
【００１４】
図１は本発明の一実施形態による表示装置の分解斜視図である。
図１を参照すると、表示装置５００は、バックライトユニット２００、表示パネル４００、ボトムシャーシ３１０、及びトップシャーシ３８０を含む。
バックライトユニット２００は、第１光源部２１、第２光源部２２、第１導光板１１、第２導光板１２、反射板１１０、拡散板１２０、及び光学シート１３０を含む。
【００１５】
第１及び第２光源部２１、２２は、表示装置５００が画像を表示するのに使用される光を発生させる。また、第１及び第２導光板１１、１２は第１及び第２光源部２１、２２から出射した光を表示パネル４００側へガイドする。
第１及び第２光源部２１、２２と第１及び第２導光板１１、１２との間の結合関係及び各光源部から出射した光の移動経路は次の通りである。
【００１６】
第１光源部２１は第１及び第２導光板１１、１２の一側に隣接するように配置され、第１光源部２１で発生した光は第１方向Ｄ１へ出射されて第１及び第２導光板１１、１２へ提供される。また、第２光源部２２は第１及び第２導光板１１、１２の他側に隣接するように第１光源部２１と対向して配置され、第２光源部２２で発生した光は第２方向Ｄ２へ出射されて第１及び第２導光板１１、１２へ提供される。
【００１７】
具体的には、第１光源部２１は、複数の第１発光ダイオードパッケージ２５、複数の第２発光ダイオードパッケージ２６、及び印刷回路基板２９を含む。また、第２光源部２２も複数の第１発光ダイオードパッケージ２５、複数の第２発光ダイオードパッケージ２６、及び印刷回路基板２９を含む。
【００１８】
第１発光ダイオードパッケージ２５は、印刷回路基板２９の上に第３方向Ｄ３に沿って配置される。第２発光ダイオードパッケージ２６は印刷回路基板２９の上に第３方向Ｄ３に沿って配置され、第１発光ダイオードパッケージ２５の下方に一対一に対応して配置される。
【００１９】
第１発光ダイオードパッケージ２５で発生した光は、第１導光板１１へ提供され、第２発光ダイオードパッケージ２６で発生した光は第２導光板１２へ提供される。
したがって、第１導光板１１は第１発光ダイオードパッケージ２５で発生した光を表示パネル４００側へガイドし、第２導光板１２は第２発光ダイオードパッケージ２６で発生した光を表示パネル４００側へガイドする。
【００２０】
表示装置５００は、視聴者が３次元立体画像を見るための眼鏡３０をさらに含み、眼鏡３０は、左眼用画像を視聴するための第１フィルタガラス３１及び右眼用画像を視聴するための第２フィルタガラス３２を含む。
第１発光ダイオードパッケージ２５で発生した光は第１フィルタガラス３１を通過して視聴者へ提供され、第２発光ダイオードパッケージ２６で発生した光は第２フィルタガラス３２を通過して視聴者へ提供される。
【００２１】
したがって、第１及び第２発光ダイオードパッケージ２５、２６で発生した光は立体画像を具現するのに使用され得る。
例えば、バックライトユニット２００は、第１発光ダイオードパッケージ２５で発生した第１光及び第２発光ダイオードパッケージ２６で発生した第２光を交互に出力し、表示パネル４００は第１光及び第２光を受光して立体画像を表示することができる。
【００２２】
一方、本発明の一実施形態によれば、第１光源部２１及び第２光源部２２は個別に駆動させることができるので、第１及び第２導光板１１、１２側へ互に異なる強さを有する光を提供することができる。したがって、表示パネル４００が画像を表示する領域の位置に第１及び第２導光板１１、１２を通じて表示パネル４００側へ提供される光の強さを異なるようにすることができるので、表示装置５００は、所謂、ローカル調光（Ｌｏｃａｌ  Ｄｉｍｍｉｎｇ）方式で駆動され得る。
【００２３】
反射板１１０は、ポリエチレンテレフタレート（ｐｏｌｙｅｔｈｙｌｅｎｅ  ｔｅｒｅｐｈｔｈａｌａｔｅ：ＰＥＴ）や、アルミニウムのような光を反射する物質を含む。
反射板１１０は、ボトムシャーシ３１０の底部３１１の上に配置されて第１及び第２光源部２１、２２で発生し、第１及び第２導光板１１、１２から下方に出射した光を反射させる。その結果、反射板１１０は表示パネル４００側へ提供される光の強さを増加させる。
【００２４】
拡散板１２０は、第１及び第２導光板１１、１２と表示パネル４００との間に配置される。拡散板１２０は第１及び第２導光板１１、１２から出射した光を拡散させる。その結果、拡散板１２０によって表示パネル４００の単位面積当たり提供される光の強さはより均一になり得る。
【００２５】
光学シート１３０は、表示パネル４００と拡散板１２０との間に配置される。
光学シート１３０は、拡散板１２０から出射した光を集光して正面輝度を向上させるプリズムシート及び拡散板１２０から出射した光を拡散させる拡散シートを含み得る。
【００２６】
本発明の一実施形態によれば、表示パネル４００は液晶表示パネルであり得、表示パネル４００はバックライトユニット２００から出射された光を受光して画像を表示する。
表示装置５００が、左眼用画像及び右眼用画像を表示する立体表示装置として使用される場合、表示パネル４００は第１及び第２発光ダイオードパッケージ２５、２６で発生した光を利用して立体画像を表示することができる。
【００２７】
具体的には、表示パネル４００は、例えば、フレーム単位に左眼画像と右眼画像とを交互に表示できる。即ち、第１発光ダイオードパッケージ２５で光が出射されるとき、左眼画像を表示し、第２発光ダイオードパッケージ２６で光が出射されるとき、右眼画像を表示することができる。
【００２８】
表示パネル４００は、第１基板４１０、第１基板４１０と対向する第２基板４２０、及び第１基板４１０と第２基板４２０との間に介在する液晶層（図示せず）を含む。
本発明の一実施形態によれば、第１基板４１０は複数の画素電極（図示せず）及び画素電極と一対一対応して電気的に接続される複数の薄膜トランジスタを含む。
各薄膜トランジスタは、各画素電極側に提供される駆動信号をスイッチングする。また、第２基板４２０は、画素電極と一対一対応して位置するカラーフィルタ層及び画素電極と共に液晶分子の配列を制御する電界を形成する対向電極を含む。
【００２９】
表示パネル４００の一側には、表示パネル４００へ駆動信号を出力する印刷回路基板４３０が具備される。印刷回路基板４３０は複数のテープキャリヤーパッケージ（Ｔａｐｅ  Ｃａｒｒｉｅｒ  Ｐａｃｋａｇｅ：ＴＣＰ）４３１を通じて表示パネル４００に接続され、テープキャリヤーパッケージ４３１の上には複数の駆動チップ４３２が各々実装される。
【００３０】
駆動チップ４３２の各々は、表示パネル４００へデータ信号を出力するデータドライバ（図示せず）を内装することができる。ここで、表示パネル４００へゲート信号を出力するゲートドライバ（図示せず）は、表示パネル４００に薄膜工程を通じて直接的に形成され得る。また駆動チップ４３２は、表示パネル４００の上にチップオンガラス（Ｃｈｉｐ  Ｏｎ  Ｇｌａｓｓ：ＣＯＧ）形態に実装され得る。この場合、駆動チップ４３２は１つのチップで統合することもできる。
【００３１】
ボトムシャーシ３１０は、底部３１１と底部３１１から延長された側壁３１２を具備してバックライトユニット２００と表示パネル４００とを収納する収納空間を提供する。
また、トップシャーシ３８０は、ボトムシャーシ３１０と締結してバックライトユニット２００及び表示パネル４００をボトムシャーシ３１０の内部に安定的に固定させる。
【００３２】
図１で、バックライトユニット２００は表示パネル４００の短辺に隣接するように具備された第１及び第２光源部２１、２２のみを示したが、実施形態によっては第１及び第２光源部２１、２２は表示パネル４００の長辺に隣接するように具備されるか、或いは、バックライトユニット２００は表示パネル４００の長辺に隣接するように具備された光源部をさらに含むことができる。
【００３３】
図２は、図１の第１光源部の拡大斜視図であり、図３は図２の第１発光ダイオードパッケージの一実施形態による断面図である。
図２及び図３を参考すると、第１光源部２１は第１発光ダイオードパッケージ２５、第２発光ダイオードパッケージ２６、及び印刷回路基板２９を含む。
また、第１発光ダイオードパッケージ２５は少なくとも１つの第１発光ダイオード６２０、第１バンドパスフィルタ６３０、第１量子点層６４０、及び第１ハウジング６１０を含む。
【００３４】
第１発光ダイオード６２０は、第１ハウジング６１０内に実装されていずれか１つの色の光、特に青色光を発生させる。
図２及び図３には示していないが、第１発光ダイオード６２０は印刷回路基板２９に電気的に接続されて駆動電圧を受信する２つのリードフレームと電気的に接続される。したがって、第１発光ダイオード６２０はリードフレームへ印加される電圧によって光を発生させる。また、図に示していないが、第１発光ダイオード６２０の下部には第１発光ダイオード６２０で発生した熱を放出させる放熱パッド又は放熱板が具備され得る。
【００３５】
第１ハウジング６１０は、第１底面部６１０ａ及び第１底面部６１０ａから実質的に垂直に延長された第１側面部６１０ｂを有し、第１発光ダイオード６２０、第１バンドパスフィルタ６３０、及び第１量子点層６４０を収容できる内部空間を有し、一側が開放された形態に設けられる。
即ち、第１底面部６１０ａの上には第１発光ダイオード６２０が実装され、第１側面部６１０ｂには第１バンドパスフィルタ６３０及び第１量子点層６４０が実装され、第１側面部６１０ｂは第１バンドパスフィルタ６３０及び第１量子点層６４０を第１側面部６１０ｂの内側面で係合支持する。
【００３６】
第１ハウジング６１０は、プラスチックのような絶縁性高分子に形成され得る。例えば、ポリフタルアミド（Ｐｏｌｙｐｈｔｈａｌａｍｉｄｅ：ＰＰＡ）や、セラミックのような物質で形成され得る。第１底面部６１０ａと第１側面部６１０ｂとは第１ハウジング６１０の製造時にモールディング方法を利用して一体に形成され得る。
【００３７】
図４は、図３のＡ１領域を拡大した図である。
図３及び図４を参照すると、第１発光ダイオード６２０の上には空気層６５０を介して第１発光ダイオード６２０と対向して第１量子点層６４０が形成される。第１量子点層６４０は約１００ｎｍ〜約１０００μｍの厚さで形成され得る。
また、第１量子点層６４０は、第１バンドパスフィルタ６３０と接し、一体に配置され得る。
【００３８】
このように第１量子点層６４０を薄膜形態で配置すれば、第１発光ダイオード６２０と第１量子点層６４０との間に空気層６５０が形成されて、第１発光ダイオード６２０で発生した熱を外部へ容易に放出でき、第１量子点層６４０が熱によって変形、変性されることを防止することができる。
【００３９】
第１量子点層６４０は、高分子樹脂６４１及び高分子樹脂６４１内に分散した複数の量子点ＱＤ１、ＱＤ２を含む。
高分子樹脂６４１は、絶縁性高分子で形成でき、例えばシリコン樹脂、エポキシ樹脂、又はアクリル樹脂等が使用され得る。
【００４０】
量子点ＱＤ１、ＱＤ２の各々はナノ物質の中の１つで、バンドギャップ（ｂａｎｄｇａｐ）が小さい物質で構成されたコア、コアを囲んだバンドギャップが大きい物質で構成されたシェル、及びシェルの上に付着したリガンド（ｌｉｇａｎｄ）で構成され、大略に直径が数ｎｍから数十ｎｍ、又は数百ｎｍである球形でなされている。
このようなナノサイズを有する量子点は量子拘束効果（ｑｕａｎｔｕｍ  ｃｏｎｆｉｎｅｍｅｎｔ  ｅｆｆｅｃｔ）が現れ、量子拘束効果の大きい特徴はバンドギャップが大きくてバンドギャップがバルク（ｂｕｌｋ）の決定とは異なり、まるで１つの個別的な原子のように不連続的なバンドギャップ構造を有することである。
【００４１】
量子点ＱＤ１、ＱＤ２は、量子点の大きさにしたがって不連続的なバンドギャップの間隔を調節できるので、量子点ＱＤ１、ＱＤ２が均一な大きさの分布を有するように合成すれば、半値全幅が狭い分光分布を有する光変換体を作ることができる。
具体的には、量子点ＱＤ１、ＱＤ２の大きさが大きいほど波長が長い光を発生させることができるので、量子点ＱＤ１、ＱＤ２の大きさを調節して放出される光の波長を調節することができる。
【００４２】
本発明において、量子点ＱＤ１、ＱＤ２は、第１発光ダイオード６２０で発光した光を吸収した後に、各量子点ＱＤ１、ＱＤ２が有するバンドギャップに該当する値に相当する光を放射する。
具体的には、第１発光ダイオード６２０が放出する光を第１光とし、量子点ＱＤ１、ＱＤ２が放射する光を第２光とすれば、第１光の波長は第２光の波長より短いか、或いは同一である。これはエネルギー保存則によることであって、量子点ＱＤ１、ＱＤ２は吸収した光のエネルギーよりさらに大きいエネルギーを有する光を放射できないのであり、これにしたがって第２光の波長は第１光の波長より長いか、或いは同一である。
【００４３】
量子点としては、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族量子点、ＰｂＳ、ＰｂＳｅ、ＰｂＴｅ、ＡｌＮ、ＡｌＰ、ＡｌＡｓ、ＡｌＳｂ、ＧａＮ、ＧａＡｓ、ＧａＳｂ、ＩｎＮ、ＩｎＰ、ＩｎＡｓ、ＩｎＳｂのようなＩＩＩ−Ｖ族量子点等が使用され得る。
【００４４】
第１発光ダイオード６２０が青色発光ダイオードである場合、第１発光ダイオード６２０の上の第１量子点層６４０は緑色を示す第１量子点ＱＤ１及び赤色を示す第２量子点ＱＤ２の中で少なくとも一種類の量子点を包含できる。
第２量子点ＱＤ２は第１量子点ＱＤ１の直径よりさらに大きい直径を有する。
図４には第１量子点層６４０が第１及び第２量子点ＱＤ１、ＱＤ２を含むことを示す。
図４のように、第１量子点層６４０が第１及び第２量子点ＱＤ１、ＱＤ２を含む場合、第１発光ダイオードパッケージ２５は赤色、緑色、及び青色が混合した白色光を外部に放射することができる。
【００４５】
図５は、図３の量子点層から出射された光の分光分布グラフである。
図５を参照すると、第１量子点層６４０は第１発光ダイオード６２０からの光を受光して第１青色光Ｂ１、第１緑色光Ｇ１、及び第１赤色光Ｒ１を放射する。第１青色光Ｂ１は第１発光ダイオード６２０で放射されたものであり、第１緑色光Ｇ１は第１量子点ＱＤ１から放射されたものであり、第１赤色光Ｒ１は第２量子点ＱＤ２から放射されたことである。
【００４６】
図５には青色発光ダイオードに緑色及び赤色を示す蛍光体を使用して作られた発光ダイオードパッケージの分光分布グラフＦＬを参考として示した。
蛍光体使用発光ダイオードパッケージの分光分布グラフを見れば、青色領域に比べて緑色及び赤色領域でピーク値が低く半値全幅が大きいことを見ることができる。
これに比べて、第１量子点層６４０で発生した第１青色光Ｂ１、第１緑色光Ｇ１、及び第１赤色光Ｒ１の各々は蛍光物質で発生した光に比べてピーク値が大きく、半値全幅が狭いことを見ることができる。
したがって、第１発光ダイオードパッケージ２５に使用された量子点の大きさ及び量を調節して第１発光ダイオードパッケージ２５から出射される光の波長及び輝度を制御することができる。
【００４７】
図６は、図３の第１バンドパスフィルタの分光分布グラフである。
図３及び図６を参照すると、第１バンドパスフィルタ６３０は特定バンドの光を透過させ、特定バンドの光以外の光は反射又は吸収するフィルタ、例えば干渉フィルタであり得る。
具体的には、第１バンドパスフィルタ６３０は第１青色光Ｂ１、第１緑色光Ｇ１、及び第１赤色光Ｒ１のみを透過させ、第１青色光Ｂ１、第１緑色光Ｇ１、及び第１赤色光Ｒ１以外の光を吸収又は反射させる。
【００４８】
図３には示していないが、第１バンドパスフィルタ６３０は屈折率が互に異なる複数のフィルムが積層された構造で製造され得る。例えば、フィルムはポリエチレンナフタレート（Ｐｏｌｙｅｔｈｙｌｅｎｅ  Ｎａｐｈｔｈａｌａｔｅ：ＰＥＮ）又はポリスチレン（Ｐｏｌｙｓｔｙｒｅｎｅ：ＰＳ）等より形成できる。
【００４９】
図６で、第１バンドパスフィルタ６３０は第１青色光Ｂ１に対応する第１パスバンドＰ１、第１緑色光Ｇ１に対応する第２パスバンドＰ２、及び第１赤色光Ｒ１に対応する第３パスバンドＰ３を含む。
例えば、第１パスバンドＰ１は約４００ｎｍ〜約５００ｎｍ範囲内にあり、第２パスバンドＰ２は約５００ｎｍ〜約５８０ｎｍ範囲内にあり、第３パスバンドＰ３は約５８０ｎｍ〜約７００ｎｍ範囲内にあり得る。
【００５０】
したがって、第１青色光Ｂ１、第１緑色光Ｇ１、及び第１赤色光Ｒ１の中で、第１〜第３パスバンドＰ１、Ｐ２、Ｐ３を透過した光のみが第１発光ダイオードパッケージ２５の外部に出射される。
第１フィルタガラス（図１の３１）には第１バンドパスフィルタ６３０と同一のパスバンドを有するフィルタが使用される。したがって、第１発光ダイオードパッケージ２５で出射された光は第１フィルタガラス３１を通過して視聴者の右眼に到達する。
【００５１】
図７は、図２の第２発光ダイオードパッケージの一実施形態による断面図であり、図８は、図７のＡ２領域を拡大した図であり、図９は、図７の量子点層から出射された光の分光分布グラフであり、図１０は、図７のバンドパスフィルタの分光分布グラフである。
図２及び図７を参照すると、第２発光ダイオードパッケージ２６は少なくとも１つの第２発光ダイオード７２０、第２バンドパスフィルタ７３０、第２量子点層７４０、及び第２ハウジング７１０を含む。
【００５２】
第２発光ダイオード７２０は、第２ハウジング７１０内に実装されていずれか１つの色の光、特に青色光を発生させる。
図２及び図７には示していないが、第２発光ダイオード７２０は印刷回路基板２９に電気的に接続されて駆動電圧を受信する２つのリードフレームと電気的に接続される。したがって、第２発光ダイオード７２０はリードフレームへ印加される電圧によって光を発生させる。
【００５３】
第２ハウジング７１０は、第２底面部７１０ａ及び第２底面部７１０ａから実質的に垂直に延長された第２側面部７１０ｂを有し、第２発光ダイオード７２０、第２バンドパスフィルタ７３０、及び第２量子点層７４０を収容できる内部空間を有し、一側が開放された形態に設けられる。
即ち、第２底面部７１０ａの上には第２発光ダイオード７２０が実装され、第２側面部７１０ｂには第２バンドパスフィルタ７３０及び第２量子点層７４０が実装され、第２側面部７１０ｂは第２バンドパスフィルタ７３０及び第２量子点層７４０を第２側面部７１０ｂの内側面で係合支持する。
【００５４】
図７及び図８を参照すると、第２発光ダイオード７２０の上には空気層７５０を介して第２発光ダイオード７２０と対向して第２量子点層７４０が形成される。第２量子点層７４０は高分子樹脂７４１及び高分子樹脂７４１内に分散した複数の量子点ＱＤ３、ＱＤ４を含む。
【００５５】
本発明において、第３及び第４量子点ＱＤ３、ＱＤ４は第２発光ダイオード７２０から放射された光を吸収した後に、各量子点ＱＤ３、ＱＤ４が有するバンドギャップに該当される値に相当する光を放射する。具体的には、第２発光ダイオード７２０が放射した光を第３光とし、第３及び第４量子点ＱＤ３、ＱＤ４が放射した光を第４光とすれば、第３光の波長は第４光の波長より短いか、或いは同一である。
【００５６】
第２発光ダイオード７２０が青色発光ダイオードである場合、第２発光ダイオード７２０の上の第２量子点層７４０は緑色を示す第３量子点ＱＤ３及び赤色を示す第４量子点ＱＤ４の中で少なくとも一種類の量子点を含む。第４量子点ＱＤ４は第３量子点ＱＤ３の直径よりさらに大きい直径を有する。図８には第２量子点層７４０が第３及び第４量子点ＱＤ３、ＱＤ４を含むものを示した。図８のように、第２量子点層７４０が第３及び第４量子点ＱＤ３、ＱＤ４を含む場合、第２発光ダイオードパッケージ２６は赤色、緑色、及び青色が混合した白色光を外部に放射することができる。
【００５７】
図９を参照すれば、第２量子点層７４０は第２発光ダイオード７２０からの光を受光して第２青色光Ｂ２、第２緑色光Ｇ２、及び第２赤色光Ｒ２を放射する。第２青色光Ｂ２は第２発光ダイオード７２０から放射されたものであり、第２緑色光Ｇ２は第３量子点ＱＤ３から放射されたものであり、第２赤色光Ｒ２は第４量子点ＱＤ４から放射されたことである。
【００５８】
図４、図５、図８、及び図９を参照すると、第１及び第２発光ダイオード６２０、７２０は全て青色光を発生させるが、第２発光ダイオード７２０で発生した第２青色光Ｂ２の波長が第１発光ダイオード６２０で発生した第１青色光Ｂ１の波長より長い。また、第３量子点ＱＤ３から放射された第２緑色光Ｇ２は第１量子点ＱＤ１から放射された第１緑色光Ｇ１の波長より長い波長を有し、第４量子点ＱＤ４から放射された第２赤色光Ｒ２は第２量子点ＱＤ２から放射された第１赤色光Ｒ１の波長より長い波長を有する。
量子点の大きさが大きいほど波長が長い光を放射するので、第３量子点ＱＤ３は第１量子点ＱＤ１より大きく、第４量子点ＱＤ４は第２量子点ＱＤ２より大きい。
【００５９】
図９には第２青色光Ｂ２、第２緑色光Ｇ２、及び第２赤色光Ｒ２を比較するために第１青色光Ｂ１、第１緑色光Ｇ１、及び第１赤色光Ｒ１を参考として示した。第１及び第２青色光Ｂ１、Ｂ２のピーク波長は青色を示す波長範囲、即ち、約４２５ｎｍ〜約４７５ｎｍ範囲内にあるが、第１及び第２青色光Ｂ１、Ｂ２のピーク波長は互に異なる値を有する。
また、図９を参照すると、大略的に第１及び第２青色光Ｂ１、Ｂ２各々のピーク波長の強さの１／２以上の強さを有する波長領域、即ち、半値全幅に属する波長領域は互に重畳しない。言い換えれば、第１青色光Ｂ１のピーク波長は第２青色光Ｂ２のピーク波長と少なくとも第１及び第２青色光Ｂ１、Ｂ２の中で、いずれか１つの半値全幅ぐらい離隔され得る。
【００６０】
第１及び第２緑色光Ｇ１、Ｇ２のピーク波長は緑色を示す波長範囲、即ち、約５００ｎｍ〜約５５０ｎｍ範囲内にあるが、第１及び第２緑色光Ｇ１、Ｇ２のピーク波長は互に異なる値を有する。
また、図９を参照すると、大略的に第１及び第２緑色光Ｇ１、Ｇ２の各々のピーク波長の強さの１／２以上の強さを有する波長領域、即ち、半値全幅に属する波長領域は互に重畳しない。言い換えれば、第１緑色光Ｇ１のピーク波長は第２緑色光Ｇ２のピーク波長と少なくとも第１及び第２緑色光Ｇ１、Ｇ２の中で、いずれか１つの半値全幅ぐらい離隔され得る。
【００６１】
同様に、第１及び第２赤色光Ｒ１、Ｒ２のピーク波長は赤色を示す波長範囲、即ち、約６００ｎｍ〜約６５０ｎｍ範囲内にあるが、第１及び第２赤色光Ｒ１、Ｒ２のピーク波長は互に異なる値を有する。
また、図９を参照すると、大略的に第１及び第２赤色光Ｒ１、Ｒ２各々のピーク波長の強さの１／２以上の強さを有する波長領域、即ち、半値全幅に属する波長領域は互に重畳しない。言い換えれば、第１赤色光Ｒ１のピーク波長は第２赤色光Ｒ２のピーク波長と少なくとも第１及び第２赤色光Ｒ１、Ｒ２の中で、いずれか１つの半値全幅ぐらい離隔され得る。
【００６２】
図７及び図１０を参照すると、第２バンドパスフィルタ７３０は特定バンドの光を透過させ、特定バンドの光以外の光は反射又は吸収するフィルタ、例えば干渉フィルタであり得る。
具体的には、第２バンドパスフィルタ７３０は第２青色光Ｂ２、第２緑色光Ｇ２、及び第２赤色光Ｒ２を透過させ、第２青色光Ｂ２、第２緑色光Ｇ２、及び第２赤色光Ｒ２以外の光を吸収又は反射させる。
【００６３】
図１０で、第２バンドパスフィルタ７３０は第２青色光Ｂ２に対応する第４パスバンドＰ４、第２緑色光Ｇ２に対応する第５パスバンドＰ５、及び第２赤色光Ｒ２に対応する第６パスバンドＰ６を含む。
例えば、第４パスバンドＰ４は約４００ｎｍ〜約５００ｎｍ範囲内にあり、第５パスバンドＰ５は約５００ｎｍ〜約５８０ｎｍ範囲内にあり、第６パスバンドＰ６は約５８０ｎｍ〜約７００ｎｍ範囲内にあり得る。したがって、第２青色光Ｂ２、第２緑色光Ｇ２、及び第２赤色光Ｒ２の中で第４〜第６パスバンドＰ４、Ｐ５、Ｐ６を透過した光のみが第２発光ダイオードパッケージ２６外部へ放射される。
【００６４】
第２フィルタガラス（図１の３２）には第２バンドパスフィルタ７３０と同一のパスバンドを有するフィルタが使用され得る。
したがって、第２発光ダイオードパッケージ２６から放射された光は第２フィルタガラスを通過して視聴者の右眼に到達され得る。
【００６５】
図１０には第４パスバンドＰ４、第５パスバンドＰ５、及び第６パスバンドＰ６とを比較するために第１パスバンドＰ１、第２パスバンドＰ２、及び第３パスバンドＰ３を参考として示した。
図５、図６、図９、及び図１０を参照すると、第１バンドパスフィルタ６３０は第１青色光Ｂ１、第１緑色光Ｇ１、及び第１赤色光Ｒ１のみを各々透過させる第１パスバンドＰ１、第２パスバンドＰ２、及び第３パスバンドＰ３を有する。
また、第２バンドパスフィルタ７３０は第２青色光Ｂ２、第２緑色光Ｇ２、及び第２赤色光Ｒ２のみを各々透過させる第４パスバンドＰ４、第５パスバンドＰ５、及び第６パスバンドＰ６を有する。
【００６６】
下の表１は、第１及び第２発光ダイオードパッケージ２５、２６の一実施形態による構成を示す。
表１を参考すると、第１量子点層６４０に具備された量子点の大きさを調節して、第１発光ダイオードパッケージ２５の第１量子点層６４０から放射された青色、緑色、及び赤色のピーク波長が各々約４３７ｎｍ、約５１０ｎｍ、及び約６１０ｎｍになるように形成した。
また、第１バンドパスフィルタ６３０としては、青色、緑色、及び赤色に対応するパスバンド、即ち、第１パスバンドＰ１、第２パスバンドＰ２、及び第３パスバンドＰ３が各々約４４２ｎｍ〜約４４８ｎｍ、約４９７ｎｍ〜約５２５ｎｍ、及び約５８７ｎｍ〜約６２４ｎｍであるフィルターを使用した。
【００６７】
この時、第１発光ダイオードパッケージ２５から放射された白色光のＣＩＥ１９３１座標系の上の座標はｘ軸が０．２４５６、ｙ軸が０．２１５２であった。
また、第１発光ダイオードパッケージ２５から放射された光の色再現性を見れば、ｓＲＧＢとの一致率が９１．５％であり、ＮＴＳＣ対比８８．５％の色再現範囲を有する。
【００６８】
また、第２量子点層７４０に具備された量子点の大きさを調節して、第２発光ダイオードパッケージ２６の第２量子点層７４０から放射された青色、緑色、及び赤色のピーク波長が各々約４５７ｎｍ、約５４９ｎｍ、及び約６４９ｎｍになるように形成した。
また、第２バンドパスフィルタ７３０としては、青色、緑色、及び赤色に対応するパスバンド、即ち、第４パスバンドＰ４、第５パスバンドＰ５、及び第６パスバンド６が各々約４６０ｎｍ〜約４８３ｎｍ、約５３６ｎｍ〜約５６３ｎｍ、及び約６３５ｎｍ〜約６８９ｎｍであるフィルターを使用した。
【００６９】
この時、第２発光ダイオードパッケージ２６から放射された白色光のＣＩＥ１９３１座標系の上の座標は第１発光ダイオードパッケージ２５から放射された白色光と同様にｘ軸が０．２４５６、ｙ軸が０．２１５２であった。
また、第２発光ダイオードパッケージ２６から放射された光の色再現性を見れば、ｓＲＧＢとの一致率が９７．９％であり、ＮＴＳＣ対比８８．８％の色再現範囲を有する。
【００７０】
【表１】
2012215827.tif 000003
【００７１】
図１１は、表１の第１及び第２発光ダイオードパッケージの色再現範囲を示すグラフである。
図１１で、第１発光ダイオードパッケージ２５の色再現範囲は第１グラフＧ１で示し、第２発光ダイオードパッケージ２６の色再現範囲は第２グラフＧ２で示した。
【００７２】
表１及び図１１を参照すると、第１及び第２発光ダイオードパッケージ２５、２６から放射された光の白色座標がＣＩＥ１９３１座標系上で同一であるとき、第１及び第２発光ダイオードパッケージ２５、２６から放射された光の色再現性を見れば、ｓＲＧＢ対比一致率では９１．５％と９７．９％とで若干差異があるが、ＮＴＳＣ対比色再現性、即ち、再現できる色の面積は８８．５％と８８．８％とで概ね一致することを見ることができる。
したがって、第１及び第２発光ダイオードパッケージ２５、２６を立体画像表示装置に使用する場合、左眼と右眼とに到達する光の色差及び輝度差を減少させ得る。
【００７３】
図１２は、図２の第１発光ダイオードパッケージの他の実施形態による断面図であり、図１３は図２の第２発光ダイオードパッケージの他の実施形態による断面図である。
図１２及び図１３の第１及び第２発光ダイオードパッケージ２５、２６において、図３及び図７に示した構成と同様の構成に対しては同様の参照符号を併記し、具体的な説明は省略する。
【００７４】
図１２及び図１３を参照すると、第１発光ダイオードパッケージ２５は少なくとも１つの第１発光ダイオード６２０、第１バンドパスフィルタ６３０、第１量子点層６４０、及び第１ハウジング６１０を含み、第２発光ダイオードパッケージ２６は少なくとも１つの第２発光ダイオード７２０、第２バンドパスフィルタ７３０、第２量子点層７４０、及び第２ハウジング７１０を含む。
【００７５】
図３及び図７と異なりに、図１２及び図１３では、第１発光ダイオード６２０の上には空気層無しで第１量子点層６４０が配置され、第２発光ダイオード７２０の上にも空気層無しで第２量子点層７４０が配置される。
言い換えれば、第１量子点層６４０は第１バンドパスフィルタ６３０と並列に薄膜形態で形成されるのではなく、第１発光ダイオード６２０と第１バンドパスフィルタ６３０との間の空間を充填して第１発光ダイオード６２０と接するように形成される。
また、第２量子点層７４０は第２バンドパスフィルタ７３０と並列に薄膜形態に形成されるのではなく、第２発光ダイオード７２０と第２バンドパスフィルタ７３０との間の空間を充填して第２発光ダイオード７２０と接するように形成される。
【００７６】
図１４は図１のバックライトユニットの他の実施形態による拡大斜視図である。
図１４を参考すると、前ックライトユニットは第１光源部２３、第２光源部２４、導光板１３、及び拡散板１２０を含む。
図１４に示していないが、図１のようにバックライトユニットは反射板及び光学シートをさらに含むことができる。
【００７７】
第１光源部２３は、複数の第１発光ダイオードパッケージ２５、複数の第２発光ダイオードパッケージ２６、及び印刷回路基板２９を含む。
また、第２光源部２４も複数の第１発光ダイオードパッケージ２５、複数の第２発光ダイオードパッケージ２６、及び印刷回路基板２９を含む。
【００７８】
第１及び第２光源部２３、２４で第１及び第２発光ダイオードパッケージ２５、２６は印刷回路基板２９の上に第３方向Ｄ３に沿って交互に配列される。
第１光源部２３の第１及び第２発光ダイオードパッケージ２５、２６から発生した光は第１方向Ｄ１へ出射されて導光板１３へ提供される。また、第２光源部２４の第１及び第２発光ダイオードパッケージ２５、２６から発生した光は第２方向Ｄ１へ出射されて導光板１３へ提供される。
導光板１３は、第１及び第２光源部２３、２４から出射された光を表示パネル（図１の４００）側へガイドし、拡散板１２０は導光板１３から出射された光を拡散させる。
【００７９】
図１５は、図３及び図７の第１及び第２量子点層を形成する方法を説明するためのフローチャートである。
図３、図７、及び図１５を参照すると、予め製造されたフィルタ、具体的にはバンドパスフィルタを準備する（ステップＳ１１０）。
【００８０】
次に、フィルタの上に複数の量子点を含む量子点層をコーティングする（ステップＳ１２０）。
量子点層は、高分子樹脂に分散させてフィルタの上に塗布、コーティングすることで形成する。例えば、緑色光を発生させる第１量子点及び赤色光を発生させる第２量子点を混合してフィルタの上にコーティングして得られる。また、量子点層は、例えばスピンコーティング方法を利用してコーティングされ得る。
【００８１】
次に、コーティングされた量子点層を、熱又は光を利用して硬化する（ステップＳ１３０）。
最後に、量子点層がコーティングされたフィルタ、即ち、量子点層と一体に形成されたフィルタを発光ダイオードを含むハウジングに実装する（ステップＳ１４０）。
このような方法で量子点層をフィルタの上に形成する場合、薄膜形態に具備された量子点層を含む発光ダイオードパッケージを製造することができる。
【００８２】
尚、本発明は、上述の実施形態に限られるものではない。本発明の技術的範囲から逸脱しない範囲内で多様に変更実施することが可能である。
【符号の説明】
【００８３】
１１    第１導光板
１２    第２導光板
２１    第１光源部
２２    第２光源部
２５    第１発光ダイオードパッケージ
２６    第２発光ダイオードパッケージ
２９    印刷回路基板
３０    眼鏡
３１    第１フィルタガラス
３２    第２フィルタガラス
１１０    反射板
１２０    拡散板
１３０    光学シート
２００    バックライトユニット
３１０    ボトムシャーシ
３８０    トップシャーシ
４００    表示パネル
５００    表示装置
６１０、７１０    （第１、第２）ハウジング
６２０、７２０    （第１、第２）発光ダイオード
６３０、７３０    （第１、第２）バンドパスフィルタ
６４０、７４０    （第１、第２）量子点層
６４１、７４１    高分子樹脂
６５０、７５０    空気層
【図１】
2012215827.tif 000004
【図２】
2012215827.tif 000005
【図３】
2012215827.tif 000006
【図４】
2012215827.tif 000007
【図５】
2012215827.tif 000008
【図６】
2012215827.tif 000009
【図７】
2012215827.tif 000010
【図８】
2012215827.tif 000011
【図９】
2012215827.tif 000012
【図１０】
2012215827.tif 000013
【図１１】
2012215827.tif 000014
【図１２】
2012215827.tif 000015
【図１３】
2012215827.tif 000016
【図１４】
2012215827.tif 000017
【図１５】
2012215827.tif 000018